(57)【要約】      （修正有）【課題】印刷適性および各種筆記具適性に優れた用紙を使用し、カレンダーとしての機能を果たした後に、脳内活性に役立つ脳内活性化カレンダーを提供する。【解決手段】カレンダー用紙になぞり書き練習用文字が薄墨印刷されており、薄墨印刷部ｄと日付印刷部ｅがミシン目ｆにより上下切り離し可能であって、該用紙はステキヒトサイズ度３秒以上、平滑度は１０〜５００秒、白色度は４０％以上であることが好ましい脳内活性化カレンダー。【選択図】図２
0003131330.tif 000002
【実用新案登録請求の範囲】
【請求項１】
表紙とその他複数の用紙により構成されるカレンダーであって、各用紙の表面には、日付の他に、なぞり書き練習用文字が薄墨印刷されていることを特徴とする脳内活性化カレンダー。
【請求項２】
前記用紙において、なぞり書き練習用文字は、用紙の上半分に、日付は用紙の下半分に印刷がされており、ミシン目によって、上下を切り離し可能な請求項１記載の脳内活性化カレンダー。
【請求項３】
前記用紙のＪＩＳ  Ｐ  ８１２２ステキヒトサイズ度が、３秒以上であることを特徴とする請求項１又は２記載の脳内活性化カレンダー。
【請求項４】
前記用紙の平滑度が、１０〜５００秒であることを特徴とする請求項１〜3のいずれかに記載の脳内活性化カレンダー。
【請求項５】
前記用紙の白色度が、４０％以上であることを特徴とする請求項１〜4のいずれかに記載の脳内活性化カレンダー
【考案の詳細な説明】
【技術分野】
【０００１】
本考案は、カレンダーとして使用するだけでなく、カレンダーとしての機能を果たした後に、さらに脳内活性化に役立つカレンダーに関する。
【背景技術】
【０００２】
多くの場合、カレンダーは、その月が終わればその用紙は消耗品となってしまうが、そのような中で、さまざまな機能性付与や工夫がなされたものも出回っている。例えば、特許文献１は、塗り絵式安全標語を印刷したカレンダー、特許文献２は、日めくり式短冊カレンダーにことわざを印刷したもの、特許文献３は、使用目的に関するイラストや写真などの表現形態を差し替え可能にし、マーカーを用いてその暦の目標評価が行えるカレンダー、特許文献４は、カレンダー用紙の裏面に翌月に関する内容を記載できるようにして、使い終った月のカレンダーも再利用可能としたもの、特許文献５は、クーポン付きや配達メニューを記載することで販促ツールとなるカレンダーである。
しかしながら、どれも、その機能性を付与するためのカレンダー用紙としての規定がなく、また、機能性に関しても、購入、使用する人の脳内活性化に役立つものではない。
【０００３】
【特許文献１】特開２００３−１２２５２号公報
【特許文献２】特開２００４−１３０５６７号公報
【特許文献３】特開２００５−１４５０２５号公報
【特許文献４】特開２００５−３１３４７１号公報
【特許文献５】特開２００５−３１９７１９号公報
【考案の開示】
【考案が解決しようとする課題】
【０００４】
上記のように、各種機能カレンダーが発売されているものの、昨今の風潮から、より購入者、使用者が脳内活化に役立つものが望まれている。
【課題を解決するための手段】
【０００５】
本考案者らは、上記課題を解決するため、鋭意研究を重ね、以下のカレンダーを開発作製するに至った。
すなわち、考案の第１は、表紙とその他複数の用紙により構成されるカレンダーであって、各用紙の表面には、日付の他に、なぞり書き練習用文字が薄墨印刷されている。
考案の第２は、該用紙において、なぞり書き練習用文字は、用紙の上半分に、日付は用紙の下半分に印刷がされており、ミシン目によって、上下を切り離し可能である。
考案の第３は、該用紙のＪＩＳ  Ｐ  ８１２２ステキヒトサイズ度が、３秒以上である。
考案の第４は、該用紙のＪ．ＴＡＰＰＩ−５（王研式平滑度）平滑度が、１０〜５００秒である。
考案の第５は、該用紙のＪＩＳ  Ｐ  ８１４８（ＩＳＯ白色度）白色度が、４０％以上である。
【考案の効果】
【０００６】
本考案のカレンダーは、カレンダーとして日付を表示するだけでなく、カレンダーとしての機能を果たした後に、なぞり書き練習をすることで、脳内活性化に役立つだけでなく、額に入れて装飾用にも使用可能である。
【考案を実施するための最良の形態】
【０００７】
次に、本考案に実施形態を図面に基づいて説明するが本考案はこの例に限定されるものではない。
図１．図２は本考案を実施する形態の一例であって図１は本考案の脳内活性カレンダーの斜視図であって、図２は平面図である。
図１に本考案に係るカレンダーの一実施形態における外観斜視図を示す。図１において、ａはカレンダー表紙、ｂはカレンダー用紙を示している。カレンダーは、１枚のカレンダー用紙に何ヶ月分表示するかによって、全体の枚数が異なる。例えば、１ヶ月分を１枚に表示する場合には、カレンダー用紙が１２枚必要であり、カレンダー表紙を合わせて全体で１３枚構成となる。本実施形態では、カレンダー用紙１枚に１ヶ月分を表示した１３枚構成のカレンダーの場合を例にとって説明する。したがって、カレンダー用紙は、１２枚必要となる。カレンダーは、カレンダー表紙ａとカレンダー用紙ｂが綴じ具ｃにより綴じられて一体に形成されている。綴じ具ｃとしては、紙や天金具など周知のものを用いることができるが、環境問題に配慮すると紙を用いることが望ましい。綴じ具ｃは、カレンダー表紙ａおよび１番下側のカレンダー用紙に塗布された糊と圧着する等の手法により綴じられることになる。また、カレンダー表紙ａの綴じ具ｃと下端と接する位置には、図面左右方向に沿ってミシン目が設けられており、このミシン目に従ってカレンダー表紙ａをカレンダー本体から切離すことができるようになっている。
【０００８】
また、図２に示すようにカレンダー用紙のそれぞれには、薄墨印刷部ｄと日付印刷部ｅがあり、その間にミシン目ｆを設けることにより、薄墨印刷部と日付印刷部を切り離して使用することが出来る。
【０００９】
近年、脳内活性化グッズとして、ゲーム機や書籍が多数発売されている。
書籍類には、クイズやパズルを解くものや、塗り絵、鉛筆なぞり書きなどがある。本考案は、このような流行を鑑み、１年間を通して使用されるカレンダーにおいて、脳内活性化を図ろうとするものである。本考案のカレンダーは、表紙と他の複数の用紙より構成されるものである。カレンダーに付与する脳内活性化機能としては、なぞり書き練習用文字を薄墨印刷することとした。また、なぞり書き練習用の薄墨印刷部と日付印刷部で上下ミシン目を入れて切り取れる工夫をした。なぞり書きは、毛筆（筆ペンを含む）や鉛筆、ボールペン、マジックなど所望する筆記具での筆記可能とする。そのため、カレンダー用紙には、通常の印刷適性に加え、各種筆記具に対する筆記性が求められる。そのため、カレンダー用紙に使用する紙のステキヒトサイズ度は、３秒が好ましい。３秒未満では、カレンダー印刷工程でのインキにじみが発生しやすい。また、平滑度は、１０〜５００秒が好ましい。１０秒未満では、印刷鮮明性が劣り、５００秒を超えて高平滑になると鉛筆筆記性が低下してくる。用紙の白色度は、４０％以上が好ましい。それ以上に白色度が低く、色の濃い用紙を使用すると、薄墨印刷をしても目立ちにくく、せっかくなぞり書きをした文字も用紙の色で沈んで見えてしまう。
【００１０】
なお、前述したように、なぞり書き練習用文字の薄墨印刷部は、日付部と上下に切り離すことが出来る。なぞり書きした文字がきれいに出来た場合は、用紙の上部のみを切り離し、保存もしくは、額などに入れて飾っておくことが可能である。そのため、練習用文字には、通常良くある鉛筆でのなぞり書きだけでなく、毛筆書きにも対応可能な用紙を選定し、なぞり書きの書を飾っておいても見栄えがするものとする。また、さらになぞり書き練習用に上に透明度の高い別紙を載せて練習することも可能である。上に載せて練習する紙としては透明度の高いものが好ましく、グラシンやトレーシングペーパー等が好ましい。
【００１１】
なぞり書き練習用文字には、格言や短歌、俳句や古典文章などを印刷する。カレンダー用紙１枚に対し、文字の大きさや文字数など、各種筆記用具での書きやすさを考慮すると短文が好ましい。
カレンダー用紙に使用する紙は、以下の方法で製造される。使用するパルプは針葉樹パルプ、広葉樹パルプのいずれも使用可能である。また、蒸解方法や漂白方法は特に限定されない。また木材パルプ以外にも、麻パルプやケナフ、竹などの非木材パルプも使用可能であり、さらにレーヨン繊維やナイロン繊維、その他熱融着繊維など、パルプ繊維以外の材料も副資材として配合することも可能である。また再生パルプの配合や、染料による色づけを行っても良いが、白色度は４０％未満とならない範囲で添加量を調整する。上記のパルプスラリーには、製紙用に用いられる公知の内添薬品を適宜添加することができる。例えば、紙力増強剤、湿潤紙力増強剤、硫酸バンド、カチオン化デンプン、各種定着剤等が挙げられる。ステキヒトサイズ度の調整には、通常公知の内添サイズ剤や表面サイズ剤を適宜使用することができる。
【００１２】
このように調成したパルプスラリー原料を、長網抄紙機、短網抄紙機等、公知の抄紙機を適宜使用して抄紙する。また、この用紙にオンマシンまたはオフコーターで塗工層を設けても良い。塗工層は、デンプンやポリビニルアルコール、表面紙力剤や表面サイズ剤ななどの樹脂バインダーのみでも良く、炭酸カルシウムやカオリンなどの顔料を添加した顔料塗工層でも良い。また、抄紙された紙は、オンマシンカレンダーやオフカレンダーで、所定の平滑度に調整する。
【実施例１】
【００１３】
（カレンダー用紙の作成）
針葉樹晒クラフトパルプ（ＮＢＫＰ）１０％と、広葉樹晒クラフトパルプ（ＬＢＫＰ）９０％を混合し、実機ＤＤＲにて、カナダ標準ろ水度４００ｍｌｃｓｆになるように叩解した。上記パルプスラリーに、内添薬品として、パルプ質量に対し、絶乾でポリアクリルアミド系紙力剤（荒川化学工業社製：ポリストロン１２５０）０．３％、内添サイズ剤（荒川化学工業社製：サイズパインＫ−９０３）０．１％、硫酸バンド０．５％を添加した。
上記紙料を、円網抄紙機で１３５ｇ／ｍ２抄紙し、さらにオンマシンサイズプレスにて、サイズプレス液（デンプン（王子コンスターチ社製：エースＡ）５％＋表面サイズ剤（荒川化学工業社製：ポリマロン１３０８Ｓ）０．１５％混合）を固形分として１ｇ／ｍ２付着させ表面強度を付与、オンマシンカンレダー処理をして所望するカレンダー用紙を得た。
得られたカレンダー用紙の紙質は以下の通りである。
坪量：１３６ｇ／ｃｍ２
ステキヒドサイズ度：３０秒
平滑度：４０秒
白色度：８５％
本カレンダー用紙は、印刷適性だけではく、各種筆記適性も良好であった。
【実施例２】
【００１４】
実施例１と同様のパルプスラリーに、さらに炭酸カルシウム（奥多摩工業社製：ＴＰ−１２１）を８％添加して、円網抄紙機で１１５ｇ／ｍ２抄紙し、さらに、実施例１と同様のオンマシンサイズプレス処理をした。この原紙にオフコーターで表裏各１０ｇ/ｍ２の顔料塗工層を設けた。顔料塗工層の処方は以下の通りである。
分散剤（東亜合成社製：アロンＴ−５０）                  ０．３部
カオリン（白石カルシウム社製：カオグロス−９０）          ８０部
炭酸カルシウム（白石カルシウム社製：ブリリアント１５Ｓ）  ２０部
デンプン（王子コンスターチ社製：エースＡ）                  ４部
ＳＢＲ（ＪＳＲ社製：Ｓ２５６２Ａ）                        １４部
耐水化剤（住友化学工業社製：ＳＰＩ−１０２Ａ）          ０．６部
消泡剤（サンノプコ社製：ノプコ１４０７Ｋ）              ０．１部
このようにして得られたカレンダー用紙の紙質は以下の通りである。
坪量：１３６ｇ／ｃｍ２
ステキヒドサイズ度：９０秒
平滑度：２５秒
白色度：９５％
本カレンダー用紙は、顔料塗工層を設けたことで印刷適性も優れており、さらに各種筆記適性も良好であった。
【００１５】
評価方法は以下の通りとする。
・ステキヒドサイズ度：ＪＩＳ  Ｐ  ８１２２に準拠する。
・平滑度：Ｊ．ＴＡＰＰＩ−５（王研式平滑度）に準拠する。
・白色度：ＪＩＳ  Ｐ  ８１４８（ＩＳＯ白色度）に準拠する。
【００１６】
カレンダーの作成
上記カレンダー用紙に日付印刷および百人一首のなぞり書き練習用文字を薄墨印刷と図柄を印刷後、日付印刷部と薄墨印刷部の間にミシン目を入れて表紙をあわせて１３枚にして綴じ脳内活性カレンダーを作成した。
【図面の簡単な説明】
【００１７】
【図１】本考案に係るカレンダーの全体を示す図である。
【図２】本考案に係るカレンダー用紙ｂの一実施形態を示す平面図である。
【符号の説明】
【００１８】
ａ…カレンダー表紙
ｂ…カレンダー用紙
ｃ…綴じ具
ｄ…薄墨印刷部
ｅ…日付印刷部
ｆ…ミシン目
【図１】
0003131330.tif 000003
【図２】
0003131330.tif 000004
【手続補正書】
【提出日】平成19年2月23日(2007.2.23)
【手続補正１】
【補正対象書類名】実用新案登録請求の範囲
【補正対象項目名】全文
【補正方法】変更
【補正の内容】
【実用新案登録請求の範囲】
【請求項１】
カレンダー表紙と日付が印刷されたその他複数のカレンダー用紙が綴じ具により綴じられて一体に形成されているカレンダーであって、なぞり書き練習用文字がカレンダー用紙の上半分に薄墨印刷され、日付がカレンダー用紙の下半分に印刷されていることを特徴とする脳内活性カレンダー。
【請求項２】
前記カレンダー用紙において、なぞり書き練習用文字が薄墨印刷されたカレンダー用紙の上半分と日付けの印刷された下半分がミシン目によって、上下を切り離し可能であることを特徴とする請求項１記載の脳内活性カレンダー。
【請求項３】
前記用紙のＪＩＳ  Ｐ  ８１２２  ステキヒトサイズ度が３秒以上であることを特徴とする請求項1又は２に記載の脳内活性カレンダー。
【請求項４】
前記用紙の平滑度が、１０〜５００秒であることを特徴とする請求項１〜３のいずれかに記載の脳内活性カレンダー。
【請求項５】
前記用紙の白色度が４０％以上であることを特徴とする請求項１〜４のいずれかに記載の脳内活性カレンダー。